(57)【特許請求の範囲】
【請求項１】
上下のヒンジ部に有する枢軸を支点として扉枠に開き扉を回動可能に軸釣する軸釣装置の前記上ヒンジ部を構成し、先端には頭部の基端側外周に係止部を形成した上部枢軸を、弾発付勢して開き扉の上端に進退自在に挿設し先端が突出した状態で把持する開き扉側の枢着具と、該枢着具と対応する前記扉枠に固定する支持具とからなり、該支持具に有する軸受部に前記上部枢軸の頭部を係合して開き扉を扉枠に軸釣するとき、前記係止部に抜け止め具を係止して前記上部枢軸を抜け止めする上吊り金具に搭載し、開き扉を扉枠に対して脱着するために使用する開き扉非常脱着補助装置であって、
正逆回転方向に応じて、先端を係止した前記抜け止め具を進退させて前記上部枢軸の係止部に対して係脱させる第１アームと、先端を前記上部枢軸の頭部の上に載せる第２アームを同軸上に有した回転体を、外部操作部材による操作で回転自在に備えることを特徴とする、開き扉非常脱着補助装置。
【請求項２】
前記回転体を前記外部操作部材で操作する操作部を、開き扉外側の正面に向けて設けることを特徴とする、請求項１に記載の開き扉非常脱着補助装置。
【請求項３】
前記開き扉の上側を遮蔽板で覆って外部から遮蔽する一方、該遮蔽板に前記外部操作部材の先を通す小穴を開けて前記回転体の操作部のみを外部に臨ませてなることを特徴とする、請求項１又は２に記載の開き扉非常脱着補助装置。
【請求項４】
前記回転体を回転して前記抜け止め具を進退させるとき、該抜け止め具を案内するガイド部を備えることを特徴とする、請求項１、２又は３に記載の開き扉非常脱着補助装置。
【発明の詳細な説明】
【技術分野】
【０００１】
本発明は、トイレブース等において、扉枠に回動可能に軸釣した開き扉の室内側で使用者が倒れるなど、開き扉を取り外さない限り開けられない非常時に、開き扉を扉枠に対して脱着するために使用する開き扉非常脱着補助装置に関する。
【背景技術】
【０００２】
従来、トイレブース等において、開き扉用のヒンジ装置の中には、目立たずに装着され見栄えが良いことから、上下のヒンジ部に備えた枢軸（ピボット軸）で開き扉を枢支して回動可能に片側袖パネル等の扉枠に軸釣する、所謂ピボットヒンジ型の軸釣装置が多くなっている。
【０００３】
しかし、この種の軸釣装置には、扉枠の天井側と開き扉との間に隙間が少ない場合、開き扉を扉枠に吊り込むときに、上向きに突出する上ヒンジ部の枢軸が障害になって、開き扉を吊り込み難く、隙間の狭さによっては、吊り込み不能な場合があるなどの問題があった。
【０００４】
そこで、従来の軸釣装置の中には、そのような問題を解決すべく、上ヒンジ部を構成する上吊り金具を改良したピボットヒンジ型の軸釣装置が提案されている。この従来の軸釣装置の上吊り金具は、先端頭部の基端側外周に係止溝を形成した上部枢軸を、付勢ばねで弾発付勢して開き扉の上端に進退自在に挿設し先端が突出した状態で把持する開き扉側の枢着具と、枢着具と対応する扉枠に固定するアングル板の支持具とで構成し、開き扉を扉枠に吊り込むとき、上部枢軸の頭部を付勢ばねに抗して押し下げて、いったん引っ込めてから、付勢ばねの付勢力で突出する上部枢軸の頭部を支持具の軸受穴に係合させることにより、開き扉の建て付け箇所が開き扉と上枠部との間に殆んど隙間がなくても開き扉を扉枠に軸釣することができ、しかも、そのとき、係止溝に抜け止め具を係止して上部枢軸を抜け止めするようになっている（特許文献１参照）。
【先行技術文献】
【特許文献】
【０００５】
【特許文献１】特開２０１２−１３２１５０号公報
【発明の概要】
【発明が解決しようとする課題】
【０００６】
ところが、例えばトイレブースにおいて、開き扉を施錠したまま、トイレ室内で使用者が倒れる緊急事態が発生した場合には、救出するために解錠して開き扉を開けたくても、開き扉は戸当りによって外開きを規制されて内側にだけ開くことが可能であるところ、倒れた使用者が邪魔になって内側にも開けられず、結局、緊急に、開き扉自体を扉枠から取り外さなければならないことがある。しかし、従来、開き扉自体を扉枠から取り外には、身の回りの道具を使い、開き扉の横から覗いて抜け止め具を上部枢軸の係止溝から外し、次いで、上部枢軸の頭部を付勢ばねに抗して押し下げて、支持具の軸受穴から外して初めて、開き扉を扉枠から取り外すことができ、そのため、開き扉の取り外し作業には、熟練や経験が必要で、そうでない限り、とても面倒で困難であるという課題があった
【０００７】
そこで、本発明の目的は、扉枠に回動可能に軸釣した開き扉を取り外さない限り開けられない非常時に、開き扉を扉枠に対し熟練や経験を要せずとも簡単に脱着できるようにすることにある。
【課題を解決するための手段】
【０００８】
そこで、請求項１に記載の発明は、たとえば以下に示す図示実施の形態のとおり、上下のヒンジ部に有する枢軸を支点として扉枠Ｆに開き扉Ｄを回動可能に軸釣する軸釣装置Ａの前記上ヒンジ部を構成し、先端３３には頭部３３ａの基端側外周に係止溝３５のような係止部を形成した上部枢軸３０を、弾発付勢して開き扉Ｄの上端に進退自在に挿設し先端３３が突出した状態で把持する開き扉側の枢着具２０と、該枢着具２０と対応する前記扉枠Ｆに固定する支持具１５とからなり、該支持具１５に有する軸受穴１９のような軸受部に前記上部枢軸３０の頭部３３ａを係合して開き扉Ｄを扉枠Ｆに軸釣するとき、前記係止部に抜け止め具２５を係止して前記上部枢軸３０を抜け止めする上吊り金具Ａ１に搭載し、開き扉Ｄを扉枠Ｆに対して脱着するために使用する開き扉非常脱着補助装置Ｒであって、正逆回転方向に応じて、先端５２ａを係止した前記抜け止め具２５を進退させて前記上部枢軸３０の係止部に対して係脱させる第１アーム５５と、先端６２ｂを前記上部枢軸３０の頭部３３ａの上に載せる第２アーム６０を同軸上に有した回転体５０を、ドライバ等の外部操作部材による操作で回転自在に備えることを特徴とする。
【０００９】
請求項２に記載の発明は、請求項１に記載の開き扉非常脱着補助装置Ｒにおいて、たとえば以下に示す図示実施の形態のとおり、前記回転体５０を前記外部操作部材で操作する操作溝５９のような操作部を、開き扉外側の正面に向けて設けることを特徴とする。
【００１０】
請求項３に記載の発明は、請求項１又は２に記載の開き扉非常脱着補助装置Ｒにおいて、たとえば以下に示す実施の形態のとおり、前記開き扉Ｄの上側を遮蔽板で覆って外部から遮蔽する一方、該遮蔽板に前記外部操作部材の先を通す小穴を開けて前記回転体５０の操作部のみを外部に臨ませてなることを特徴とする。
【００１１】
請求項４に記載の発明は、請求項１、２又は３に記載の開き扉非常脱着補助装置Ｒにおいて、たとえば以下に示す図示実施の形態のとおり、前記回転体５０を回転して前記抜け止め具２５を進退させるとき、該抜け止め具２５を案内するガイド溝４４のようなガイド部を備えることを特徴とする。
【発明の効果】
【００１２】
従って、請求項１に記載の発明によれば、開き扉を取り外さない限り開けられない非常時に、開き扉自体を扉枠から取り外す場合でも、例えば身の回りにある外部操作部材を用いて正方向に回転体を回転すると、その正回転に応じて、第１アームが先端を係止した抜け止め具を上部枢軸から後退させて係止部から外すと同時に、第２アームが上部枢軸の頭部の上に載った先端で上部枢軸を弾発付勢に抗して押し下げ、上部枢軸の頭部を支持具の軸受部から外すことができる。そのように外部操作部材を使って回転体を回転するワンアクションで、抜け止め具を上部枢軸の係止部から外す同時に上部枢軸の頭部を支持具の軸受部から外すことができるから、その後は、開き扉を持ち上げて、下ヒンジ部を構成する下吊り金具の枢着具を支持具から外すだけでよく、熟練や経験がなくても簡単にワンタッチで開き扉を扉枠から取り外すことができる。
【００１３】
更に、請求項１に記載の発明によれば、例えば緊急事態を解決してから、開き扉を扉枠に取り付けて元に戻す場合は、開き扉を持ち上げ、下吊り金具の支持具に枢着具を取り付けてから、上吊り金具の上部枢軸の頭部を、いったん弾発付勢に抗して押し下げて引っ込めてから、弾発付勢力で突出させて支持具の軸受部に係合させる。すると、本発明の開き扉非常脱着補助装置は、突出させた上部枢軸の頭部により第２アームの先端が押し上げられて、回転体を取り外し時とは逆方向に回転し、その回転体の逆回転に応じて、第１アームが先端を係止した抜け止め具を前進させて係止部に係止し、上部枢軸を自動的に抜け止めして開き扉を扉枠に軸釣することができる。このように開き扉を取り付けるときも、開き扉を持ち上げて、上部枢軸の頭部を支持具の軸受部に係合するだけで、回転体が逆回転して抜け止め具を自動的に上部枢軸の係止部に係止し、面倒で困難な抜け止め具の取り付け作業が省略されるため、それだけ熟練や経験がなくても簡単にワンタッチで開き扉を扉枠に取り付けて元に戻すことができる。
【００１４】
請求項２に記載の発明によれば、操作しやすい開き扉外側の正面から、操作部を外部操作部材で操作すればよいから、開き扉の扉枠に対する取り付け取り外し作業を、無理なく簡単に行うことができる。
【００１５】
請求項３に記載の発明によれば、開き扉の上側を遮蔽板で覆って外部から遮蔽する一方、遮蔽板に外部操作部材の先を通す小穴を開けて回転体の操作部のみを外部に臨ませる構成にすることにより、外観上、開き扉の上側に小穴が開くだけで済み、トイレブース等における扉周りの美観を低下させることなく、本装置を設置することができる。
【００１６】
請求項４に記載の発明によれば、回転体を回転して抜け止め具を進退させるとき、抜け止め具を落下させることなく案内してスムーズに往復移動させることができる。
【図面の簡単な説明】
【００１７】
【図１】軸釣装置の上吊り金具に搭載した本発明の開き扉非常脱着補助装置により吊り込み状態の開き扉を扉枠から取り外す動作を示す縦断面図である。
【図２】軸釣装置で開き扉を扉枠に吊り込んだ状態の扉周りの構造を示す正面図である。
【図３】軸釣装置で開き扉を扉枠に吊り込んだ状態の扉周りの構造を示す斜視図である。
【図４】開き扉非常脱着補助装置と上吊り金具の分解斜視図である。
【図５】（Ａ）開き扉非常脱着補助装置の回転体を示す正面図、（Ｂ）Ａ図中線Ｘ−Ｘ断面図である。
【図６】回転体を示す組立斜視図である。
【図７】開き扉非常脱着補助装置を示す組立斜視図である。
【図８】開き扉非常脱着補助装置を搭載した軸釣装置の上吊り金具を示す組立斜視図である。
【図９】（Ａ）開き扉非常脱着補助装置を搭載した軸釣装置の上吊り金具を開き扉の吊り込み状態において示す縦断面図、（Ｂ）開き扉非常脱着補助装置により上部枢軸を押し下げると共に抜け止め具を外した状態を示す同じ縦断面図である。
【発明を実施するための形態】
【００１８】
以下、図面を参照しつつ、本発明の実施の最良形態について説明する。
【００１９】
図１に本発明の開き扉非常脱着補助装置を搭載した軸釣装置の上吊り金具を、開き扉の吊り込み状態で示し、図２および図３は軸釣装置で開き扉を扉枠に吊り込んだ状態の扉周りの構造を示す。例えばトイレブースにおいて、図中符号Ａは一対の上下ヒンジ部を備えたピボットヒンジ型の軸釣装置、Ｄは開き扉、Ｆは開き扉Ｄを吊り込んで支持する扉枠である。軸釣装置Ａは、下ヒンジ部としての下吊り金具Ａ１と、上ヒンジ部としての上吊り金具Ａ２とからなり、開き扉Ｄと扉枠Ｆとの下部側を下吊り金具Ａ１で、上部側を上吊り金具Ａ２でそれぞれ軸釣して開き扉Ｄを扉枠Ｆに回動可能に吊り込む。本発明は、この軸釣装置Ａの上吊り金具Ａ２に搭載し、開き扉Ｄのトイレ室内側で使用者が倒れるなど、開き扉を取り外さない限り開けられない非常時に、開き扉Ｄを扉枠Ｆに対して脱着するために使用する開き扉非常脱着補助装置Ｒである。
【００２０】
軸釣装置Ａの下吊り金具Ａ１は、扉枠Ｆの片側袖パネル１０の木口下端にねじ止めする支持具１１と、開き扉Ｄの下端の吊元側にねじ止めする枢着具１２とからなる。支持具１１は、Ｌ型に屈曲して取付板部と支持板部からなるアングル材で、支持板部に回り止め形状の軸受穴を設けてなる。枢着具１２は、開き扉Ｄの下端に埋設した軸筒内に、先端の頭部が支持具１１の軸受穴の穴形状と同じ回り止め形状の下部枢軸を挿設し、先端の頭部を開き扉Ｄの下端面から突出させて保持してなる。下吊り金具Ａ１は、枢着具１２の下部枢軸を片側袖パネル１０に固定の支持具１１の軸受穴に嵌着して組み立てると、下部枢軸を支点として開き扉Ｄの下部側を回動可能に枢支する構造になっている。
【００２１】
上吊り金具Ａ２は、扉枠Ｆの側に組み付ける支持具１５と、開き扉Ｄの側に組み付ける枢着具２０と、枢着具２０の抜け止め具２５からなる。
【００２２】
支持具１５は、図１および図４に示すように、Ｌ型に屈曲して複数のねじ穴をあけた取付板部１５ａと支持板部１５ｂからなるアングル材で、支持板部１５ｂの先端に四角い回り止め形状の回り止め穴１６を設け、回り止め穴１６と取付板部１５ａ間に細長い逃げ穴１７が設けられている。回り止め穴１６には、丸い軸受穴１９を開けた滑りやすい樹脂製の軸受部材１８を嵌め込む。以って、支持具１５は、取付板部１５ａを片側袖パネル１０の木口上端にねじ止めして支持板部１５ｂを水平な横向きに突出させる。
【００２３】
枢着具２０は、上部枢軸３０と、上部枢軸３０を把持する軸筒３１と、上部枢軸３０を弾発付勢する圧縮コイルばねの付勢ばね３２を備える。
【００２４】
上部枢軸３０は、金属製で、細長い円柱状をなし、先端３３を、支持具１５の軸受穴１９に係合する突端の頭部３３ａと、頭部３３ａの基端側外周に形成した係止溝３５と、頭部３３ａと係止溝３５間の抜け止め顎部３３ｂとで形成する。軸筒３１は、樹脂製の軸筒本体３６と金属製の取付プレート３７とからなる。軸筒本体３６は、上端に開口を開けた有底の円筒部３６ａと円筒部３６ａの上端から直交する横向きに延びるやや細長で浅底なケース部３６ｂとからなる。
【００２５】
そこで、枢着具２０は、軸筒３１の円筒部３６ａ内に付勢ばね３２を嵌装してから、上部枢軸３０を嵌挿した後に取付プレート３７を軸筒本体３６のケース部３６ｂに嵌着する。それから、取付プレート３７の軸穴３８に、上部枢軸３０の軸部形状に合わせて軸挿通穴３９を開けた樹脂製ハット形の軸受管２１を嵌め込む。以って、枢着具２０は、上部枢軸３０を付勢ばね３２で弾発付勢し、図１に示すように、先端３３が軸筒３１の軸挿通穴３９から突出した状態で進退自在に把持して組み立ててなる。
【００２６】
抜け止め具２５は、矩形な金属プレートからなり、図４でも示すように、片側端縁に上部枢軸３０の係止溝３５に係止するＵ形に切り欠いた抜け止め凹部２２を設けると共に、抜け止め凹部２２と同一線上にあって他側の端縁寄りに掛け止め穴２３を設けてなる。
【００２７】
上吊り金具Ａ２において、枢着具２０は、図１に示すように、開き扉Ｄの上端面の吊元寄りに予め穿設した取付穴２４に軸筒３１の円筒部３６ａを嵌め込み、取付プレート３７を上端面にねじ止めして開き扉Ｄに組み付ける。
【００２８】
そこで、軸釣装置Ａで開き扉Ｄを扉枠Ｆに吊り込む場合は、開き扉Ｄを持ち上げて、下吊り金具Ａ１の支持具１１の軸受穴に枢着具１２の下部枢軸を係合し、下吊り金具Ａ１で開き扉Ｄを回動可能に片側袖パネル１０の木口下端に軸釣してから、上吊り金具Ａ２の支持具１５の軸受穴１９に枢着具２０の上部枢軸３０の頭部３３ａを係合し、上吊り金具Ａ２で開き扉Ｄを回動可能に片側袖パネル１０の木口上端に軸釣する。
【００２９】
上吊り金具Ａ２で開き扉Ｄを片側袖パネル１０の木口上端に軸釣するときは、上部枢軸３０の頭部３３ａを付勢ばね３２に抗して押し下げ、いったん軸筒３１の円筒部３６ａ内に引っ込めてから、頭部３３ａが支持具１５の軸受穴１９の真下に至ったとき、頭部３３ａから掛けた指を外すと、付勢ばね３２の付勢力で上部枢軸３０が突出して支持具１５の軸受穴１９に係合する。しかる後、上吊り金具Ａ２は、掛け止め穴２３を支持具１５の取付板部１５ａ側の向きにして抜け止め具２５を支持板部１５ｂの真下から差し込むように抜け止め凹部２２を上部枢軸３０の係止溝３５に係止し、上部枢軸３０を抜け止め状態で支持具１５に枢着して開き扉Ｄを回動可能に片側袖パネル１０の木口上端に軸釣する。
【００３０】
さて、上吊り金具Ａ２に搭載する開き扉非常脱着補助装置Ｒは、図４に示すように、支持台４０と、支持台４０に回転自在に取り付ける回転体５０を備えてなる。
【００３１】
支持台４０は、支持具１５の支持板部１５ｂの大きさと表面凸凹形状に合わせて形成した台座部４０ａと、台座部４０ａを挟んだ両側に立設した一対の対向側板部４０ｂからなる。台座部４０ａには、支持板部１５ｂの軸受穴１９と逃げ穴１７にそれぞれ対応させて逃げ丸穴４１と逃げ長穴４２が設けられている。対向側板部４０ｂ・４０ｂには、上端縁にそれぞれＵ形の軸受凹部４３を設け、向い合う内壁面に抜け止め具２５の両側縁が係合する断面コ形の細長いガイド溝４４が平行に設けられている。軸受凹部４３は、入口が幅狭な馬蹄形の抜け止め形状に凹設してなる。
【００３２】
回転体５０は、本体部の第１アーム５５と、第１アーム５５に連結する第２アーム６０と、スペーサ６５を備えてなる。
【００３３】
第１アーム５５は、図４および図５に示すように、枢軸部５１と、枢軸部５１の外周面に突設したアーム部５２からなる。枢軸部５１は、軸方向両端にそれぞれ一段細径な車輪部４６・４７を設ける一方、車輪部４６・４７間の内部を中空に形成し、そこに第２アーム６０に有する連結軸部６１を嵌め込む連結穴４８を形成する共に、外周面には取付口４９を開口している。連結穴４８の車輪部４６・４７側には、互いに向き合う一段小径な係合穴４６ａ・４７ａを凹設する一方、係合穴４６ａ・４７ａの反対の外側に、回転体５０の操作部として、細長い操作溝５９が設けられている。取付口４９は、第２アーム６０の連結軸部６１の外形状に合わせて、軸方向に細長い矩形な開口部分の車輪部４６側に逃げ部分４９ａを切り欠いてなる。一方、アーム部５２は、取付口４９に対し枢軸部５１の周方向に一定角度開いた外周面の離隔位置から、径方向外向きに細長い舌状に突出し、先端に爪状の掛け止め部５２ａを設けてなる。
【００３４】
第２アーム６０は、連結軸部６１と、連結軸部６１の外周面に突設したアーム部６２からなる。連結軸部６１は、軸方向両端にそれぞれ一段細径な係合凸部６１ａ・６１ｂを設ける。アーム部６２は、連結軸部６１の外周面から径方向外向きに幅広な板状に突出したアーム本体６２ａと、アーム本体６２からく字状に屈曲して突出した円柱状の押え突部６２ｂからなる。なお、スペーサ６５は、例えば樹脂材により、第１アーム５５に開いた取付口４９の逃げ部分４９ａ側の凹みから係合穴４６ａに嵌め込み可能な凸部６５ａを、片側端部に有すると共に、その反対側の端部に、第２アーム６０における連結軸部６１の係合凸部６１ａが係合可能な凹部６５ｂを有した形状に成形してなる。
【００３５】
そこで、回転体５０は、第２アーム６０の連結軸部６１を、押え突部６２ｂを第１アーム５５のアーム部５２の突出する向きに合わせて、取付口４９から連結穴４８に嵌入し、係合凸部６１ｂを連結穴４８内の係合穴４７ａに係合してから、取付口４９の逃げ部分４９ａ側に開いた空隙からスペーサ６５を入れて凸部６５ａを連結穴４８内の係合穴４６ａに係合する一方、図５（Ｂ）に示すように、凹部６５ｂに第２アーム６０の連結軸部６１の係合凸部６１ａを係合して敷き詰めることにより、第１アーム５５に第２アーム６０を組み付けて一体に連結し、以って図６に示すように組み立てる。
【００３６】
この回転体は、図７に示すように、車輪部４６・４７を支持台４０の軸受凹部４３・４３に押し込んで係合し、第１アーム５５および第２アーム６０が対向側板部４０ｂ・４０ｂ間で回動可能に枢軸部５１を懸架する。そして、第１アーム５５は先端の掛け止め部５２ａが逃げ長穴４２に係合し、第２アーム６０は先端の押え突部６２ｂが逃げ丸穴４１に嵌合した状態で、回転体５０を支持台４０に組み付け、以って、本発明の開き扉非常脱着補助装置Ｒが組み立てられる。
【００３７】
開き扉非常脱着補助装置Ｒは、図４に示すように、支持台４０（台座部４０ａ）の逃げ丸穴４１と逃げ長穴４２を、それぞれ支持具１５（支持板部１５ｂ）の軸受穴１９と逃げ穴１７に合わせて、支持板部１５ｂ上に台座部４０ａを重ね合わせ、図８および図９（Ａ）に示すように、第１アーム５５は先端の掛け止め部５２ａを逃げ穴１７に通して抜け止め具２５の掛け止め穴２３に係止する一方、第２アーム６０は先端の押え突部６２ｂを上部枢軸３０の頭部３３ａ上に載せた状態とし、それから、支持板部１５ｂ上に台座部４０ａを止めねじ７０で固定し、回転体５０を、外部操作部材の操作により回転できるように操作部の操作溝５９をトイレ室外側（開き扉外側）の正面に向けて上吊り金具Ａ２に搭載する。
【００３８】
従って、図示例の開き扉非常脱着補助装置Ｒは、開き扉Ｄ外側の正面から、マイナスドライバ等の外部操作部材を使い、その先を操作溝５９に差し込んで、正方向、例えば図９（Ａ）中矢示する時計方向に回転体５０を回転すると、この１つの回転動作だけで、第１アーム５５が掛け止め穴２３に係止した先端の掛け止め部５２ａで抜け止め具２５を上部枢軸３０から後退させて抜け止め凹部２２を係止溝３５から外すと同時に、第２アーム６０が上部枢軸３０の頭部３３ａ上に載った押え突部６２ｂで頭部３３ａを付勢ばね３２に抗して押し下げ、支持具１５の軸受穴１９から外れる構成になっている。抜け止め具２５が後退して上部枢軸３０の係止溝３５から外れるときは、抜け止め具２５をガイド溝４４で案内し、ガイド溝４４に沿って退避位置まで移動する。
【００３９】
反対に、回転体５０が図中反時計方向に逆回転すると、第２アーム６０は先端の押え突部６２ｂが上部枢軸３０の軸受穴１９から離れる方向に回ると同時に、第１アーム５５は退避位置にある抜け止め具２５を掛け止め穴２３に係止したまま先端の掛け止め部５２ａでガイド溝４４に沿って前進させて、抜け止め凹部２２を係止溝３５に係止して自動的に上部枢軸３０を抜け止めする構成になっている。
【００４０】
ところで、例えばトイレブースにおいて、開き扉Ｄを施錠したまま、トイレ室内で使用者が倒れる緊急事態が発生した場合には、救出するために解錠して開き扉Ｄを開けたくても、開き扉Ｄは戸当りによって外開きを規制され、内側にのみ開くことが可能であるところ、倒れた使用者が邪魔になって内側にも開けられず、結局、緊急に、面倒でも開き扉Ｄ自体を片側袖パネル１０から取り外さなければならないことがある。
【００４１】
しかし、図示例の開き扉非常脱着補助装置Ｒは、緊急に開き扉Ｄ自体を片側袖パネル１０から取り外す場合でも、トイレ室外側の正面から、身の回りにある外部操作部材、例えばマイナスドライバを操作溝５９に差し込みで、図９（Ａ）中矢示する時計回りの正方向に回転体５０を回転すると、その正回転に応じて、第１アーム５５が掛け止め穴２３に係止した先端の掛け止め部５２ａで抜け止め具２５を上部枢軸３０からガイド溝４４に沿って退避位置まで後退させて、抜け止め凹部２２を係止溝３５から外すと同時に、第２アーム６０が上部枢軸３０の頭部３３ａ上に載った先端の押え突部６２ｂで上部枢軸３０を付勢ばね３２に抗して押し下げ、頭部３３ａを支持具１５の軸受穴１９から外すことができる。そのようにトイレ室外側の正面から、外部操作部材を使って回転体５０を回転するワンアクションだけで、抜け止め具２５を上部枢軸３０の係止溝３５から外す同時に上部枢軸３０の頭部３３ａを支持具１５の軸受穴１９から外すことができるから、その後は、開き扉Ｄを持ち上げて、下吊り金具Ａ１の支持具１１の軸受穴から枢着具１２の下部枢軸を外すだけでよく、熟練や経験がなくても簡単にワンタッチで開き扉Ｄを片側袖パネル１０から取り外すことができる。
【００４２】
しかも、緊急事態を解決してから、開き扉Ｄを片側袖パネル１０に取り付けて元に戻す場合も、開き扉Ｄを持ち上げ、下吊り金具Ａ１の支持具１１の軸受穴に枢着具１２の下部枢軸を係合してから、上部枢軸３０の頭部３３ａを、いったん付勢ばね３２に抗して押し下げて軸筒３１の円筒部３６ｂ内に引っ込めてから、付勢ばね３２の付勢力によって突出させて支持具１５の軸受穴１９に係合させる。すると、本発明の開き扉非常脱着補助装置Ｒは、突出させた上部枢軸３０の頭部３３ａにより第２アーム６０の押え突部６２ｂが押し上げられて、回転体５０を、取り外し時とは逆方向の図中反時計回り回転し、その逆回転に応じて、第１アーム５５が、退避位置に後退した抜け止め具２５を掛け止め穴２３に係止した掛け止め部５２ａでガイド溝４４に沿って前進させて抜け止め凹部２２を係止溝３５に係止し、上部枢軸３０を自動的に抜け止めして開き扉Ｄを片側袖パネル１０に軸釣することができる。このように開き扉Ｄを取り付けるときも、開き扉Ｄを持ち上げて、上部枢軸３０の頭部３３ａを支持具１５の軸受穴１９に係合するだけで、回転体５０が逆回転して抜け止め具２５を自動的に上部枢軸３０の係止溝３５に係止し、面倒で困難な抜け止め具２５の取り付け作業が省略されるため、それだけ熟練や経験がなくても簡単にワンタッチで開き扉Ｄを扉枠Ｆに取り付けて元に戻すことができる。
【００４３】
ところで、上述した図示実施の形態において、開き扉非常脱着補助装置Ｒは、トイレ室外側の正面に向けて全体が外部に露出した状態で上部吊り金具Ａ２に搭載するが、本発明は、開き扉Ｄの天井側を、例えば幕板等の遮蔽板で覆って開き扉非常脱着補助装置Ｒを外部から遮蔽する一方、幕板にマイナスドライバ等の外部操作部材の先を通す小穴を開けて回転体５０の操作溝５９のみを外部に臨ませると共に、上述した開き扉Ｄを取り外す非常時には、「外部操作部材を小穴から操作溝５９に差し込んで矢示する方向に回転体５０を回転するだけでよい」と云うような簡単な操作手順を付記する構成にすると良い。
【符号の説明】
【００４４】
Ａ                軸釣装置
Ａ１              下吊り金具
Ａ２              上吊り金具
Ｄ                開き扉
Ｆ                扉枠
Ｒ                開き扉非常脱着補助装置
１０              片側袖パネル
１５              上吊り金具の支持具
１９              軸受穴
２０              枢着具
２５              抜け止め具
３０              上部枢軸
３２              付勢ばね
３３              上部枢軸の先端
３３ａ            頭部
３５              係止溝
５０              回転体
５２ｂ            掛け止め部
５５              第１アーム
６０              第２アーム
６２ｂ            押え突部
【図１】
0005444430.tif 000002
【図２】
0005444430.tif 000003
【図３】
0005444430.tif 000004
【図４】
0005444430.tif 000005
【図５】
0005444430.tif 000006
【図６】
0005444430.tif 000007
【図７】
0005444430.tif 000008
【図８】
0005444430.tif 000009
【図９】
0005444430.tif 000010